(57)【特許請求の範囲】
【請求項１】
データパケットシャント伝送の方法であって、前記方法が無線リンク制御（ＲＬＣ）層に応用され、前記ＲＬＣ層がマスタ無線リンク制御（Ｍ−ＲＬＣ）層とセカンダリ無線リンク制御（Ｓ−ＲＬＣ）層を含み、前記方法は、
前記Ｍ−ＲＬＣ層が、パケットデータコンバージェンスプロトコル（ＰＤＣＰ）層によって送信された無線リンク制御サービスデータユニット（ＲＬＣ  ＳＤＵ）データストリームを第１無線リンク制御プロトコルデータユニット（ＲＬＣ  ＰＤＵ）データストリームと第２ＲＬＣ  ＰＤＵデータストリームに変換し、
前記第１ＲＬＣ  ＰＤＵデータストリームを第１メディアアクセス制御（ＭＡＣ）層に送信し、
前記第２ＲＬＣ  ＰＤＵデータストリームを前記Ｓ−ＲＬＣ層に送信し、
前記Ｓ−ＲＬＣ層が、前記第２ＲＬＣ  ＰＤＵデータストリームを第２ＭＡＣ層に送信し、
前記第１ＭＡＣ層が、前記第１ＲＬＣ  ＰＤＵデータストリームを受信端に送信し、
前記第２ＭＡＣ層が、前記第２ＲＬＣ  ＰＤＵデータストリームを受信端に送信する
ことを含み、
前記Ｓ−ＲＬＣ層によって前記第２ＲＬＣ  ＰＤＵデータストリームを第２ＭＡＣ層に送信することは、
前記第２ＭＡＣ層によって送信された指示情報に基づいて前記第２ＲＬＣ  ＰＤＵデータストリーム内の各ＲＬＣ  ＰＤＵに対して対応する分割及び／又は連結処理を行い、分割及び／又は連結処理後の前記ＲＬＣ  ＰＤＵに対してＰＤＵヘッダを追加又は修正して前記第２ＭＡＣ層に送信することを含む、
データパケットシャント伝送の方法。
【請求項２】
前記Ｍ−ＲＬＣ層がＰＤＣＰ層によって送信されたＲＬＣ  ＳＤＵデータストリームを第１ＲＬＣ  ＰＤＵデータストリームと第２ＲＬＣ  ＰＤＵデータストリームに変換することは、
前記Ｍ−ＲＬＣ層がＰＤＣＰ層によって送信されたＲＬＣ  ＳＤＵデータストリームを受信し、
前記ＲＬＣ  ＳＤＵデータストリームを第１ＲＬＣ  ＳＤＵデータストリームと第２ＲＬＣ  ＳＤＵデータストリームに分け、
前記第１ＭＡＣ層によって送信された第１指示情報に基づいて前記第１ＲＬＣ  ＳＤＵデータストリーム内の各ＲＬＣ  ＳＤＵに対して対応する分割及び／又は連結処理を行い、そして分割及び／又は連結処理後の前記ＲＬＣ  ＳＤＵに対してＰＤＵヘッダを追加し、前記第１ＲＬＣ  ＳＤＵデータストリームを前記第１ＲＬＣ  ＰＤＵデータストリームにパッケージし、
前記Ｓ−ＲＬＣ層によって送信された第２指示情報或いは前記Ｍ−ＲＬＣ層によって予め設定された事前推定値に基づいて前記第２ＲＬＣ  ＳＤＵデータストリーム内の各ＲＬＣ  ＳＤＵに対して対応する分割及び／又は連結処理を行い、そして分割及び／又は連結処理後の前記ＲＬＣ  ＳＤＵに対してＰＤＵヘッダを追加し、前記第２ＲＬＣ  ＳＤＵデータストリームを前記第２ＲＬＣ  ＰＤＵデータストリームにパッケージすることを含む請求項１に記載のデータパケットシャント伝送の方法。
【請求項３】
前記方法は、前記Ｍ−ＲＬＣ層が前記受信端によってフィードバックされた状態レポートに基づいて前記受信端での受信に失敗したデータパケットに対して再送を行うことを更に含む
請求項１に記載のデータパケットシャント伝送の方法。
【請求項４】
データパケットシャント伝送の方法であって、前記方法がＲＬＣ層に応用され、前記ＲＬＣ層がＭ−ＲＬＣ層とＳ−ＲＬＣ層を含み、前記方法は、
前記Ｍ−ＲＬＣ層がそれぞれ第１ＭＡＣ層によって送信された第１ＲＬＣ  ＰＤＵデータストリーム及び前記Ｓ−ＲＬＣ層によって送信された第２ＲＬＣ  ＰＤＵデータストリームを受信し、
前記第１ＲＬＣ  ＰＤＵデータストリーム及び前記第２ＲＬＣ  ＰＤＵデータストリーム内の各ＲＬＣ  ＰＤＵのＳＮ番号に基づいて前記ＲＬＣ  ＰＤＵに対してソートし、
ソート後の前記ＲＬＣ  ＰＤＵに対してＰＤＵヘッダを除去し、
前記第１ＲＬＣ  ＰＤＵデータストリーム及び前記第２ＲＬＣ  ＰＤＵデータストリームをＲＬＣ  ＳＤＵデータストリームに再結合し、
前記ＲＬＣ  ＳＤＵデータストリームをＰＤＣＰ層に送信し、そして状態レポートを送信端のＭ−ＲＬＣ層にフィードバックし、
前記Ｓ−ＲＬＣ層が第２ＭＡＣ層によって送信された第２ＲＬＣ  ＰＤＵデータストリームを受信し、
前記第２ＲＬＣ  ＰＤＵデータストリームに対してそれぞれＰＤＵヘッダの除去又は修正、ソート及び再結合を行い、そして前記Ｍ−ＲＬＣ層に送信する
ことを含む、データパケットシャント伝送の方法。
【請求項５】
データパケットシャント伝送のシステムであって、前記システムは、ＰＤＣＰエンティティ、Ｍ−ＲＬＣエンティティ、Ｓ−ＲＬＣエンティティ、第１ＭＡＣエンティティ及び第２ＭＡＣエンティティを備え、
前記ＰＤＣＰエンティティは、ＲＬＣ  ＳＤＵデータストリームを前記Ｍ−ＲＬＣエンティティに送信するように構成され、
前記Ｍ−ＲＬＣエンティティは、ＰＤＣＰ層によって送信されたＲＬＣ  ＳＤＵデータストリームを第１ＲＬＣ  ＰＤＵデータストリームと第２ＲＬＣ  ＰＤＵデータストリームに変換し、前記第１ＲＬＣ  ＰＤＵデータストリームを前記第１ＭＡＣエンティティに送信し、及び前記第２ＲＬＣ  ＰＤＵデータストリームを前記Ｓ−ＲＬＣエンティティに送信するように構成され、
前記Ｓ−ＲＬＣエンティティは、前記Ｍ−ＲＬＣエンティティによって送信された前記第２ＲＬＣ  ＰＤＵデータストリームを受信し、そして前記第２ＲＬＣ  ＰＤＵデータストリームを前記第２ＭＡＣエンティティに送信するように構成され、
前記第１ＭＡＣエンティティは、前記Ｍ−ＲＬＣエンティティによって送信された前記第１ＲＬＣ  ＰＤＵデータストリームを受信し、そして前記第１ＲＬＣ  ＰＤＵデータストリームを受信端に送信するように構成され、
前記第２ＭＡＣエンティティは、Ｓ−ＲＬＣエンティティによって送信された前記第２ＲＬＣ  ＰＤＵデータストリームを受信し、そして前記第２ＲＬＣ  ＰＤＵデータストリームを受信端に送信するように構成され、
前記Ｓ−ＲＬＣエンティティは、第３サイズ予め処理ユニット及び第３パッケージユニットを備え、
前記第３サイズ予め処理ユニットは、前記第２ＭＡＣエンティティによって送信された指示情報に基づいて前記第２ＲＬＣ  ＰＤＵデータストリーム内の各ＲＬＣ  ＰＤＵに対して対応する分割及び／又は連結処理を行うように構成され、
第３パッケージユニットは、前記第３サイズ予め処理ユニットによって分割及び／又は連結処理された前記ＲＬＣ  ＰＤＵに対してＰＤＵヘッダを追加又は修正して前記第２ＭＡＣ層に送信するように構成される
データパケットシャント伝送のシステム。
【請求項６】
前記Ｍ−ＲＬＣエンティティは、受信ユニット、シャントユニット、第１サイズ予め処理ユニット、第１パッケージユニット、第２サイズ予め処理ユニット及び第２パッケージユニットを備え、
前記受信ユニットは、前記ＰＤＣＰエンティティによって送信されたＲＬＣ  ＳＤＵデータストリームを受信するように構成され、
前記シャントユニットは、前記ＲＬＣ  ＳＤＵデータストリームを第１ＲＬＣ  ＳＤＵデータストリームと第２ＲＬＣ  ＳＤＵデータストリームに分けるように構成され、
前記第１サイズ予め処理ユニットは、前記第１ＭＡＣエンティティによって送信された第１指示情報に基づいて前記第１ＲＬＣ  ＳＤＵデータストリーム内の各ＲＬＣ  ＳＤＵに対して対応する分割及び／又は連結処理を行うように構成され、
前記第１パッケージユニットは、前記第１サイズ予め処理ユニットによって分割及び／又は連結処理された前記ＲＬＣ  ＳＤＵデータストリームに対してＰＤＵヘッダを追加し、前記第１ＲＬＣ  ＳＤＵデータストリームを前記第１ＲＬＣ  ＰＤＵデータストリームにパッケージするように構成され、
前記第２サイズ予め処理ユニットは、前記Ｓ−ＲＬＣエンティティによって送信された第２指示情報或いは前記Ｍ−ＲＬＣエンティティによって予め設定された事前推定値に基づいて前記第２ＲＬＣ  ＳＤＵデータストリーム内の各ＲＬＣ  ＳＤＵに対して対応する分割及び／又は連結処理を行うように構成され、
第２パッケージユニットは、前記第２サイズ予め処理ユニットによって分割及び／又は連結処理された前記ＲＬＣ  ＳＤＵデータストリームに対してＰＤＵヘッダを追加し、前記第２ＲＬＣ  ＳＤＵデータストリームを前記第２ＲＬＣ  ＰＤＵデータストリームにパッケージするように構成される
請求項５に記載のデータパケットシャント伝送のシステム。
【請求項７】
前記Ｍ−ＲＬＣエンティティは、状態レポート受信ユニットと再送ユニットを更に備え、
前記状態レポート受信ユニットは、前記受信端によってフィードバックされた状態レポートを受信するように構成され、
前記再送ユニットは、前記状態レポートに基づいて前記受信端での受信に失敗したデータパケットに対して再送を行うように構成される
請求項５に記載のデータパケットシャント伝送のシステム。
【請求項８】
データパケットシャント伝送のシステムであって、前記システムは、ＰＤＣＰエンティティ、Ｍ−ＲＬＣエンティティ、Ｓ−ＲＬＣエンティティ、第１ＭＡＣエンティティ及び第２ＭＡＣエンティティを備え、
前記第１ＭＡＣエンティティは、第１ＲＬＣ  ＰＤＵデータストリームを前記Ｍ−ＲＬＣエンティティに送信するように構成され、
前記第２ＭＡＣエンティティは、第２ＲＬＣ  ＰＤＵデータストリームを前記Ｓ−ＲＬＣエンティティに送信するように構成され、
前記Ｓ−ＲＬＣエンティティは、前記第２ＭＡＣエンティティによって送信された第２ＲＬＣ  ＰＤＵデータストリームを受信し、そして前記第２ＲＬＣ  ＰＤＵデータストリームを前記Ｍ−ＲＬＣエンティティに送信するように構成され、
前記Ｍ−ＲＬＣエンティティは、それぞれ前記第１ＭＡＣエンティティによって送信された第１ＲＬＣ  ＰＤＵデータストリーム及び前記Ｓ−ＲＬＣエンティティによって送信された第２ＲＬＣ  ＰＤＵデータストリームを受信し、前記第１ＲＬＣ  ＰＤＵデータストリーム及び前記第２ＲＬＣ  ＰＤＵデータストリーム内の各ＲＬＣ  ＰＤＵのＳＮ番号に基づいて前記ＲＬＣ  ＰＤＵに対してソートし、ソート後の前記ＲＬＣ  ＰＤＵに対してＰＤＵヘッダを除去し、前記第１ＲＬＣ  ＰＤＵデータストリーム及び前記第２ＲＬＣ  ＰＤＵデータストリームをＲＬＣ  ＳＤＵデータストリームに再結合し、前記ＲＬＣ  ＳＤＵデータストリームをＰＤＣＰエンティティに送信し、そして状態レポートを送信端のＭ−ＲＬＣエンティティにフィードバックするように構成され、
前記ＰＤＣＰエンティティは、前記Ｍ−ＲＬＣエンティティによって送信された前記ＲＬＣ  ＳＤＵデータストリームを受信するように構成され、
前記Ｓ−ＲＬＣエンティティは、更に前記第２ＭＡＣエンティティによって送信された第２ＲＬＣ  ＰＤＵデータストリームを受信し、前記第２ＲＬＣ  ＰＤＵデータストリームに対してそれぞれＰＤＵヘッダの除去又は修正、ソート及び再結合を行い、そして前記Ｍ−ＲＬＣエンティティに送信するように構成される
データパケットシャント伝送のシステム。
【請求項９】
コンピュータ記憶媒体であって、請求項１〜３のいずれか１項に記載の方法を実行するためのコンピュータ実行可能な命令を記憶している
コンピュータ記憶媒体。
【請求項１０】
コンピュータ記憶媒体であって、請求項４に記載の方法を実行するためのコンピュータ実行可能な命令を記憶している
コンピュータ記憶媒体。
【発明の詳細な説明】
【技術分野】
【０００１】
本発明は移動通信技術に関し、特にデータパケットシャント伝送の方法、システムおよびコンピュータ記憶媒体に関する。
【背景技術】
【０００２】
無線通信技術とプロトコル標準の不断の進化に従って、移動パケットサービスが巨大な発展を経て、単一の端末のデータスループットは絶えず改善されている。ロング・ターム・エボリューション（ＬＴＥ：Ｌｏｎｇ  Ｔｅｒｍ  Ｅｖｏｌｕｔｉｏｎ）システムを例として、２０Ｍ帯域幅の内でサポート可能な最大ダウンリンクレートは１００Ｍｂｐｓのデータ伝送である。後続の増強ＬＴＥアドバンスト（ＬＴＥ−Ａ：ＬＴＥ−Ａｄｖａｎｃｅｄ）システムにおいて、データの伝送レートは更に向上し、更に１Ｇｂｐｓに達することができる。
【０００３】
端末のデータサービス量のインフレタイプの増加によって、移動ネットワークのサービス能力と配置ポリシーが全て巨大な圧力と挑戦に直面している。通信事業者は、一方では、既存のネットワーク配置と通信技術を向上させる必要があり、他方では、新技術の普及とネットワーク拡張を加速することを期待することにより、迅速にネットワーク性能を向上させる目的を達成する。移動通信システムは今まで発展して、マクロのネットワークに対する強化によって経済的な柔軟かつ高能力のサービスを提供することがだんだん困難になるため、低電力ノード（ＬＰＮ：Ｌｏｗ  Ｐｏｗｅｒ  Ｎｏｄｅ）の配置による小セル（Ｓｍａｌｌ  ｃｅｌｌ）のカバレッジを提供するためのネットワークポリシーが最も魅力的なソリューションとなった。
【０００４】
ＬＰＮ配置及び能力側面の増強は、第３世代パートナーシッププログラム（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）により将来のネットワークの発展での最も人に興味を持たせる課題の一つとして確認されている。しかし、各タイプ基地局が単独でユーザ端末（ＵＥ：Ｕｓｅｒ  Ｅｑｕｉｐｍｅｎｔ）にサービスを提供する過程においては、多くの問題が存在し、また大きなデータ量と高い移動性のサービス要求を満たすことができない。そのため、現在、マクロ基地局のカバーエリア内或いは境界に対して低電力ノードを配置し、両者が共に発展型ユニバーサル移動体通信システム地上無線アクセスネットワーク（Ｅ−ＵＴＲＡＮ：Ｅｖｏｌｖｅｄ−Ｕｎｉｖｅｒｓａｌ  ｍｏｂｉｌｅ  ｔｅｌｅｃｏｍｍｕｎｉｃａｔｉｏｎs ｓｙｓｔｅｍ  Ｔｅｒｒｅｓｔｒｉａｌ  Ｒａｄｉｏ  Ａｃｃｅｓｓ  Ｎｅｔｗｏｒｋ）のシステムアーキテクチャのアクセスネットワークを構成し、それによって共同でＵＥのためにデータ伝送サービスを提供するシーンがさらに認められており、また基本的に比較的普遍的に知られている構築モデルを有するようになった。図１に示すように、コアネットワーク（ＣＮ：Ｃｏｒｅ  Ｎｅｔｗｏｒｋ）におけるモビリティ管理エンティティ（ＭＭＥ：Ｍｏｂｉｌｉｔｙ  Ｍａｎａｇｅｍｅｎｔ  Ｅｎｔｉｔｙ）とＳ１−ＭＭＥインターフェイスが設けられ、かつＣＮによりモビリティアンカー点とみなされた基地局は、マスター基地局（ＭｅＮＢ：Ｍａｓｔｅｒ  ｅＮＢ）と呼ぶ。ＭｅＮＢの以外、ＵＥのために余分な無線リソースを提供するノードは、セカンダリー基地局（ＳｅＮＢ：Ｓｅｃｏｎｄａｒｙ  ｅＮＢ）と呼ぶ。ＭｅＮＢとＳｅＮＢの間のインターフェイスは暫定的にＸｎインターフェイスと呼び、コントロールプレーンシグナリング及びユーザプレーンデータを送信することができる。ＭｅＮＢ及びＳｅＮＢとＵＥとの間に無線Ｕｕポート（口）を設け、つまり、ＵＥはデュアルリンク（ＤＣ：Ｄｕａｌ  Ｃｏｎｎｅｃｔｉｖｉｔｙ）状態である。
【０００５】
前記システムアーキテクチャにおいて、具体的にユーザプレーンデータトランスポートのアーキテクチャは図２に示す。下りデータを例とし、ＥＰＳベアラ＃１（ＥＰＳ  ｂｅａｒｅｒ＃１）の伝送は既存技術と同じであり、Ｓ−ＧＷからＳ１−Ｕインターフェイスを介してＭｅＮＢに送信して、またＭｅＮＢから無線Ｕｕポートを介してＵＥに送信する。ＥＰＳベアラ＃２（ＥＰＳ  ｂｅａｒｅｒ＃２）のデータ伝送は、Ｓ−ＧＷからＳ１−Ｕインターフェイスを介してＭｅＮＢに送信した後に、ＭｅＮＢが部分のパケットをＵｕポートを介してＵＥに送信することができ、他の部分をＸｎインターフェイスを介してＳｅＮＢに送信して、またＳｅＮＢからＵｕポートを介してＵＥに送信する。このような、同一のＥＰＳ  ｂｅａｒｅｒのパケットは２つの基地局の無線リソースによって送信され、前記ベアラのスループットを極めて大きく向上させ、ＵＥのデータレートの要求を満たした。
【０００６】
しかし、前記システムアーキテクチャは、ＵＥのデータレートの要求を満たすと同時に、ＵＥの移動性能の安定性を満たすことができない。、ＵＥがアクセスしたＳｅＮＢセルが変化する場合、ＳｅＮＢサービスセルの変化によるデータの中断時間及びパケットロスを減少することができず、ＳｅＮＢセルの変化によるネットワーク側と端末のノードに対する影響を減少することができない。
【発明の概要】
【発明が解決しようとする課題】
【０００７】
これを鑑みて、本発明はデータパケットシャント伝送の方法、システムおよびコンピュータ記憶媒体を提供して、ＵＥの大きなデータ量の要求を満たすと同時に、ＵＥの高い移動性のサービス要求も満たすことができるようにする。
【課題を解決するための手段】
【０００８】
前記目的を実現するために、本発明の実施形態の技術の方案は以下のように実現される。
【０００９】
本発明の実施形態の第１方面によって、データパケットシャント伝送の方法が提供され、前記方法が無線リンク制御（ＲＬＣ：Ｒａｄｉｏ  Ｌｉｎｋ  Ｃｏｎｔｒｏｌ）層に応用され、前記ＲＬＣ層がマスタ無線リンク制御（Ｍ−ＲＬＣ：Ｍａｓｔｅｒ−Ｒａｄｉｏ  Ｌｉｎｋ  Ｃｏｎｔｒｏｌ）層とセカンダリ無線リンク制御（Ｓ−ＲＬＣ：Ｓｅｃｏｎｄａｒｙ−Ｒａｄｉｏ  Ｌｉｎｋ  Ｃｏｎｔｒｏｌ）層を含み、前記方法は、
前記Ｍ−ＲＬＣ層が、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層によって送信された無線リンク制御サービスデータユニット（ＲＬＣ  ＳＤＵ：ＲＬＣ  Ｓｅｒｖｉｃｅ  Ｄａｔａ  Ｕｎｉｔ）データストリームを第１無線リンク制御プロトコルデータユニット（ＲＬＣ  ＰＤＵ：ＲＬＣ  Ｐｒｏｔｏｃｏｌ  Ｄａｔａ  Ｕｎｉｔ）データストリームと第２ＲＬＣ  ＰＤＵデータストリームに変換し、
前記第１ＲＬＣ  ＰＤＵデータストリームを第１メディアアクセス制御（ＭＡＣ：Ｍｅｄｉｕｍ  Ａｃｃｅｓｓ  Ｃｏｎｔｒｏｌ）層に送信し、
前記第２ＲＬＣ  ＰＤＵデータストリームを前記Ｓ−ＲＬＣ層に送信し、
前記Ｓ−ＲＬＣ層が、前記第２ＲＬＣ  ＰＤＵデータストリームを第２ＭＡＣ層に送信し、
前記第１ＭＡＣ層が、前記第１ＲＬＣ  ＰＤＵデータストリームを受信端に送信し、
前記第２ＭＡＣ層が、前記第２ＲＬＣ  ＰＤＵデータストリームを受信端に送信することを含む。
【００１０】
好ましくは、前記Ｍ−ＲＬＣ層がＰＤＣＰ層によって送信されたＲＬＣ  ＳＤＵデータストリームを第１ＲＬＣ  ＰＤＵデータストリームと第２ＲＬＣ  ＰＤＵデータストリームに変換することは、
前記Ｍ−ＲＬＣ層がＰＤＣＰ層によって送信されたＲＬＣ  ＳＤＵデータストリームを受信し、
前記ＲＬＣ  ＳＤＵデータストリームを第１ＲＬＣ  ＳＤＵデータストリームと第２ＲＬＣ  ＳＤＵデータストリームに分け、
前記第１ＭＡＣ層によって送信された第１指示情報に基づいて前記第１ＲＬＣ  ＳＤＵデータストリーム内の各ＲＬＣ  ＳＤＵに対して対応する分割（ｓｅｇｍｅｎｔａｔｉｏｎ）及び／又は連結（ｃｏｎｃａｔｅｎａｔｉｏｎ）処理を行い、そして分割及び／又は連結処理後の前記ＲＬＣ  ＳＤＵに対してＰＤＵヘッダを追加し、前記第１ＲＬＣ  ＳＤＵデータストリームを前記第１ＲＬＣ  ＰＤＵデータストリームにパッケージし、
前記Ｓ−ＲＬＣ層によって送信された第２指示情報或いは前記Ｍ−ＲＬＣ層の予め設定された事前推定値に基づいて前記第２ＲＬＣ  ＳＤＵデータストリーム内の各ＲＬＣ  ＳＤＵに対して対応する分割及び／又は連結処理を行い、そして分割及び／又は連結処理後の前記ＲＬＣ  ＳＤＵに対してＰＤＵヘッダを追加し、前記第２ＲＬＣ  ＳＤＵデータストリームを前記第２ＲＬＣ  ＰＤＵデータストリームにパッケージすることを含む。
【００１１】
好ましくは、前記方法は、前記Ｍ−ＲＬＣ層が前記受信端によってフィードバックされた状態レポートに基づいて前記受信端での受信に失敗したデータパケットに対して再送を行うことを更に含む。
【００１２】
好ましくは、前記Ｓ−ＲＬＣ層によって前記第２ＲＬＣ  ＰＤＵデータストリームを第２ＭＡＣ層に送信することは、
前記第２ＭＡＣ層によって送信された指示情報に基づいて前記第２ＲＬＣ  ＰＤＵデータストリーム内の各ＲＬＣ  ＰＤＵに対して対応する分割及び／又は連結処理を行い、分割及び／又は連結処理後の前記ＲＬＣ  ＰＤＵに対してＰＤＵヘッダを追加又は修正して前記第２ＭＡＣ層に送信することを含む。
【００１３】
本発明の実施形態の第２方面によって、データパケットシャント伝送の方法が提供され、前記方法がＲＬＣ層に応用されし、前記ＲＬＣ層がＭ−ＲＬＣ層とＳ−ＲＬＣ層を含み、前記方法は、
前記Ｍ−ＲＬＣ層がそれぞれ第１ＭＡＣ層によって送信された第１ＲＬＣ  ＰＤＵデータストリーム及び前記Ｓ−ＲＬＣ層によって送信された第２ＲＬＣ  ＰＤＵデータストリームを受信し、
前記第１ＲＬＣ  ＰＤＵデータストリーム及び前記第２ＲＬＣ  ＰＤＵデータストリーム内の各ＲＬＣ  ＰＤＵのＳＮ番号に基づいて前記ＲＬＣ  ＰＤＵに対してソートし、
ソート後の前記ＲＬＣ  ＰＤＵに対してＰＤＵヘッダを除去し、
前記第１ＲＬＣ  ＰＤＵデータストリーム及び前記第２ＲＬＣ  ＰＤＵデータストリームをＲＬＣ  ＳＤＵデータストリームに再結合し、
前記ＲＬＣ  ＳＤＵデータストリームをＰＤＣＰ層に送信し、そして状態レポートを送信端のＭ−ＲＬＣ層にフィードバックすることを含む。
【００１４】
好ましくは、前記方法は、
前記Ｓ−ＲＬＣ層が第２ＭＡＣ層によって送信された第２ＲＬＣ  ＰＤＵデータストリームを受信し、
前記第２ＲＬＣ  ＰＤＵデータストリームに対してそれぞれＰＤＵヘッダの除去又は修正、ソート及び再結合を行い、そして前記Ｍ−ＲＬＣ層に送信することを更に含む。
【００１５】
本発明の実施形態の第３方面によって、データパケットシャント伝送のシステムが提供され、前記システムは、ＰＤＣＰエンティティ、Ｍ−ＲＬＣエンティティ、Ｓ−ＲＬＣエンティティ、第１ＭＡＣエンティティ及び第２ＭＡＣエンティティを備え、
前記ＰＤＣＰエンティティは、ＲＬＣ  ＳＤＵデータストリームを前記Ｍ−ＲＬＣエンティティに送信するように構成され、
前記Ｍ−ＲＬＣエンティティは、ＰＤＣＰ層によって送信されたＲＬＣ  ＳＤＵデータストリームを第１ＲＬＣ  ＰＤＵデータストリームと第２ＲＬＣ  ＰＤＵデータストリームに変換し、前記第１ＲＬＣ  ＰＤＵデータストリームを前記第１ＭＡＣエンティティに送信し、及び前記第２ＲＬＣ  ＰＤＵデータストリームを前記Ｓ−ＲＬＣエンティティに送信するように構成され、
前記Ｓ−ＲＬＣエンティティは、前記Ｍ−ＲＬＣエンティティによって送信された前記第２ＲＬＣ  ＰＤＵデータストリームを受信し、そして前記第２ＲＬＣ  ＰＤＵデータストリームを前記第２ＭＡＣエンティティに送信するように構成され、
前記第１ＭＡＣエンティティは、前記Ｍ−ＲＬＣエンティティによって送信された前記第１ＲＬＣ  ＰＤＵデータストリームを受信し、そして前記第１ＲＬＣ  ＰＤＵデータストリームを受信端に送信するように構成され、
前記第２ＭＡＣエンティティは、Ｓ−ＲＬＣエンティティによって送信された前記第２ＲＬＣ  ＰＤＵデータストリームを受信し、そして前記第２ＲＬＣ  ＰＤＵデータストリームを受信端に送信するように構成される。
【００１６】
好ましくは、前記Ｍ−ＲＬＣエンティティは、受信ユニット、シャントユニット、第１サイズ予め処理ユニット、第１パッケージユニット、第２サイズ予め処理ユニット及び第２パッケージユニットを備え、
前記受信ユニットは、前記ＰＤＣＰエンティティによって送信されたＲＬＣ  ＳＤＵデータストリームを受信するように構成され、
前記シャントユニットは、前記ＲＬＣ  ＳＤＵデータストリームを第１ＲＬＣ  ＳＤＵデータストリームと第２ＲＬＣ  ＳＤＵデータストリームに分けるように構成され、
前記第１サイズ予め処理ユニットは、前記第１ＭＡＣエンティティによって送信された第１指示情報に基づいて前記第１ＲＬＣ  ＳＤＵデータストリーム内の各ＲＬＣ  ＳＤＵに対して対応する分割及び／又は連結処理を行うように構成され、
前記第１パッケージユニットは、前記第１サイズ予め処理ユニットによって分割及び／又は連結処理された前記ＲＬＣ  ＳＤＵデータストリームに対してＰＤＵヘッダを追加し、前記第１ＲＬＣ  ＳＤＵデータストリームを前記第１ＲＬＣ  ＰＤＵデータストリームにパッケージするように構成され、
前記第２サイズ予め処理ユニットは、前記Ｓ−ＲＬＣエンティティによって送信された第２指示情報或いは前記Ｍ−ＲＬＣエンティティによって予め設定された事前推定値に基づいて前記第２ＲＬＣ  ＳＤＵデータストリーム内の各ＲＬＣ  ＳＤＵに対して対応する分割及び／又は連結処理を行うように構成され、
第２パッケージユニットは、前記第２サイズ予め処理ユニットによって分割及び／又は連結処理された前記ＲＬＣ  ＳＤＵデータストリームに対してＰＤＵヘッダを追加し、前記第２ＲＬＣ  ＳＤＵデータストリームを前記第２ＲＬＣ  ＰＤＵデータストリームにパッケージするように構成される。
【００１７】
好ましくは、前記Ｍ−ＲＬＣエンティティは、状態レポート受信ユニットと再送ユニットを更に備え、
前記状態レポート受信ユニットは、前記受信端によってフィードバックされた状態レポートを受信するように構成され、
前記再送ユニットは、前記状態レポートに基づいて前記受信端での受信に失敗したデータパケットに対して再送を行うように構成される。
【００１８】
好ましくは、前記Ｓ−ＲＬＣエンティティは、第３サイズ予め処理ユニット及び第３パッケージユニットを備え、
前記第３サイズ予め処理ユニットは、前記第２ＭＡＣエンティティによって送信された指示情報に基づいて前記第２ＲＬＣ  ＰＤＵデータストリーム内の各ＲＬＣ  ＰＤＵに対して対応する分割及び／又は連結処理を行うように構成され、
第３パッケージユニットは、前記第３サイズ予め処理ユニットによって分割及び／又は連結処理された前記ＲＬＣ  ＰＤＵに対してＰＤＵヘッダを追加又は修正して前記第２ＭＡＣ層に送信するように構成される。
【００１９】
本発明の実施形態の第４方面によってデータパケットシャント伝送のシステムが提供され、前記システムは、ＰＤＣＰエンティティ、Ｍ−ＲＬＣエンティティ、Ｓ−ＲＬＣエンティティ、第１ＭＡＣエンティティ及び第２ＭＡＣエンティティを備え、
前記第１ＭＡＣエンティティは、第１ＲＬＣ  ＰＤＵデータストリームを前記Ｍ−ＲＬＣエンティティに送信するように構成され、
前記第２ＭＡＣエンティティは、第２ＲＬＣ  ＰＤＵデータストリームを前記Ｓ−ＲＬＣエンティティに送信するように構成され、
前記Ｓ−ＲＬＣエンティティは、前記第２ＭＡＣエンティティによって送信された第２ＲＬＣ  ＰＤＵデータストリームを受信し、そして前記第２ＲＬＣ  ＰＤＵデータストリームを前記Ｍ−ＲＬＣエンティティに送信するように構成され、
前記Ｍ−ＲＬＣエンティティは、それぞれ前記第１ＭＡＣエンティティによって送信された第１ＲＬＣ  ＰＤＵデータストリーム及び前記Ｓ−ＲＬＣエンティティによって送信された第２ＲＬＣ  ＰＤＵデータストリームを受信し、前記第１ＲＬＣ  ＰＤＵデータストリーム及び前記第２ＲＬＣ  ＰＤＵデータストリーム内の各ＲＬＣ  ＰＤＵのＳＮ番号に基づいて前記ＲＬＣ  ＰＤＵに対してソートし、ソート後の前記ＲＬＣ  ＰＤＵに対してＰＤＵヘッダを除去し、前記第１ＲＬＣ  ＰＤＵデータストリーム及び前記第２ＲＬＣ  ＰＤＵデータストリームをＲＬＣ  ＳＤＵデータストリームに再結合し、前記ＲＬＣ  ＳＤＵデータストリームをＰＤＣＰエンティティに送信し、そして状態レポートを送信端のＭ−ＲＬＣエンティティにフィードバックするように構成され、
前記ＰＤＣＰエンティティは、前記Ｍ−ＲＬＣエンティティによって送信された前記ＲＬＣ  ＳＤＵデータストリームを受信するように構成される。
【００２０】
好ましくは、前記Ｓ−ＲＬＣエンティティは、更に前記第２ＭＡＣエンティティによって送信された第２ＲＬＣ  ＰＤＵデータストリームを受信し、前記第２ＲＬＣ  ＰＤＵデータストリームに対してそれぞれＰＤＵヘッダの除去又は修正、ソート及び再結合を行い、そして前記Ｍ−ＲＬＣエンティティに送信するように構成される。
【００２１】
本発明の実施形態の第５方面によってコンピュータ記憶媒体が提供され、前記コンピュータ記憶媒体は、本発明の実施形態の第１方面の実施形態のいずれか１つの技術の方案に記載の方法を実行するためのコンピュータ実行可能な命令を記憶している。
【００２２】
本発明の実施形態の第６方面によってコンピュータ記憶媒体が提供され、前記コンピュータ記憶媒体は、本発明の実施形態の第２方面の実施形態のいずれか１つの技術の方案に記載の方法を実行するためのコンピュータ実行可能な命令を記憶している。
【００２３】
本発明の実施形態の技術の方案は、ＲＬＣ層に応用され、前記ＲＬＣ層がＭ−ＲＬＣ層とＳ−ＲＬＣ層を含み、前記Ｍ−ＲＬＣ層がＰＤＣＰ層によって送信されたＲＬＣ  ＳＤＵデータストリームを第１ＲＬＣ  ＰＤＵデータストリームと第２ＲＬＣ  ＰＤＵデータストリームに変換し、前記第１ＲＬＣ  ＰＤＵデータストリームを第１ＭＡＣ層に送信し、及び前記第２ＲＬＣ  ＰＤＵデータストリームを前記Ｓ−ＲＬＣ層に送信し、そして前記Ｓ−ＲＬＣ層によって前記第２ＲＬＣ  ＰＤＵデータストリームを第２ＭＡＣ層に送信され、前記第１ＭＡＣ層と前記第２ＭＡＣ層によってそれぞれ前記第１ＲＬＣ  ＰＤＵデータストリームと前記第２ＲＬＣ  ＰＤＵデータストリームを受信端に送信される。このように、一方では、ネットワークは、ＵＥのための迅速かつ高効率的なマルチストリーム共同データ伝送を提供し、他方では、シャントに起因するプロトコル層が下位層であるため、シャントデータ伝送を担当しているＳｅＮＢが変化した場合、再確立する必要があるプロトコル層が少なく、データパケットの転送も回避することによってＵＥのサービスレートと移動性の要求を満たした。
【図面の簡単な説明】
【００２４】
【図１】異種ネットワーク展開の概略図である。
【図２】ベアラレベルのシャント原理の伝送を示す図である。
【図３】本発明の第１の実施形態に係るデータパケットシャント伝送の方法の実現の流れを示す図である。
【図４】本発明の第２の実施形態に係るデータパケットシャント伝送の方法の実現の流れを示す図である。
【図５】本発明の第１の実施形態に係るデータパケットシャント伝送のシステムの構造を示す図である。
【図６】本発明の第１の実施形態における前記Ｍ−ＲＬＣエンティティの構造を示す図である。
【図７】本発明の第１の実施形態における前記Ｓ−ＲＬＣエンティティの構造を示す図である。
【図８】本発明の第２の実施形態に係るデータパケットシャント伝送のシステムの構造を示す図である。
【図９】本発明の第３の実施形態におけるデータ伝送／再送の流れを示す図である。
【発明を実施するための形態】
【００２５】
本発明の実施形態に係る特徴と技術内容をより詳しく理解するために、以下、図面を参照して本発明の実施形態を詳細に説明し、添付図面が参照説明のために提供されるものだけであり、本発明を限定することに用いられるものではない。
【００２６】
本発明の実施形態はデータパケットシャント伝送の方法を提供し、図３に示すように、本発明の実施形態の前記方法がＲＬＣ層に応用され、前記ＲＬＣ層がＭ−ＲＬＣ層とＳ−ＲＬＣ層を含む。前記方法は転送確認モード（ＡＭ：Ａｃｋｎｏｗｌｅｄｇｅ  Ｍｏｄｅ）及び非確認モード（ＵＭ：Ｕｎａｃｋｎｏｗｌｅｄｇｅｄ  Ｍｏｄｅ）データの伝送に応用され、本発明の好ましい実施形態において、前記方法が以下のステップを含む。
【００２７】
ステップ３０１：前記Ｍ−ＲＬＣ層がＰＤＣＰ層によって送信されたＲＬＣ  ＳＤＵデータストリームを第１ＲＬＣ  ＰＤＵデータストリームと第２ＲＬＣ  ＰＤＵデータストリームに変換する。
【００２８】
具体的に、前記Ｍ−ＲＬＣ層によってＰＤＣＰ層から送信されたＲＬＣ  ＳＤＵデータストリームを受信して、前記ＲＬＣ  ＳＤＵデータストリームを第１ＲＬＣ  ＳＤＵデータストリームと第２ＲＬＣ  ＳＤＵデータストリームに分ける。
【００２９】
前記第１ＭＡＣ層によって送信された第１指示情報に基づいて前記第１ＲＬＣ  ＳＤＵデータストリーム内の各ＲＬＣ  ＳＤＵに対して対応する分割及び／又は連結処理を行い、そして分割及び／又は連結処理後の前記ＲＬＣ  ＳＤＵに対してＰＤＵヘッダを追加し、前記第１ＲＬＣ  ＳＤＵデータストリームを前記第１ＲＬＣ  ＰＤＵデータストリームにパッケージする。
【００３０】
前記Ｓ−ＲＬＣ層によって送信された第２指示情報或いは前記Ｍ−ＲＬＣ層の予め設定された事前推定値に基づいて前記第２ＲＬＣ  ＳＤＵデータストリーム内の各ＲＬＣ  ＳＤＵに対して対応する分割及び／又は連結処理を行い、そして分割及び／又は連結処理後の前記ＲＬＣ  ＳＤＵに対してＰＤＵヘッダを追加し、前記第２ＲＬＣ  ＳＤＵデータストリームを前記第２ＲＬＣ  ＰＤＵデータストリームにパッケージする。
【００３１】
本実施形態におけるＰＤＣＰ層、Ｍ−ＲＬＣ層、Ｓ−ＲＬＣ層、第１ＭＡＣ層及び第２ＭＡＣ層はそれぞれ異なるプロトコル層に対応して、ここで、ＰＤＣＰ層が前記Ｍ−ＲＬＣ層及び前記Ｓ−ＲＬＣ層の上位のプロトコル層であり、Ｍ−ＲＬＣ層が前記第１ＭＡＣ層の上位のプロトコル層であり、前記Ｓ−ＲＬＣ層が前記第２ＭＡＣ層の上位のプロトコル層である。
【００３２】
好ましくは、前記第１指示情報及び第２指示情報は半静的に設定され、粗い事前推定値であってもよい。
【００３３】
好ましくは、前記方法は、前記Ｍ−ＲＬＣ層が前記受信端によってフィードバックされた状態レポートに基づいて前記受信端での受信に失敗したデータパケットに対して再送を行うことをさらに含む。
【００３４】
ステップ３０２：前記第１ＲＬＣ  ＰＤＵデータストリームを第１ＭＡＣ層に送信し、及び前記第２ＲＬＣ  ＰＤＵデータストリームを前記Ｓ−ＲＬＣ層に送信し、そして前記Ｓ−ＲＬＣ層を介して前記第２ＲＬＣ  ＰＤＵデータストリームを第２ＭＡＣ層に送信する。
【００３５】
好ましくは、前記Ｓ−ＲＬＣ層を介して前記第２ＲＬＣ  ＰＤＵデータストリームを第２ＭＡＣ層に送信することは、
前記第２ＭＡＣ層によって送信された指示情報に基づいて前記第２ＲＬＣ  ＰＤＵデータストリーム内の各ＲＬＣ  ＰＤＵに対して対応する分割及び／又は連結処理を行い、分割及び／又は連結処理後の前記ＲＬＣ  ＰＤＵに対してＰＤＵヘッダを追加又は修正して前記第２ＭＡＣ層に送信することを含む。
【００３６】
ステップ３０３：前記第１ＭＡＣ層と前記第２ＭＡＣ層がそれぞれ前記第１ＲＬＣ  ＰＤＵデータストリームと前記第２ＲＬＣ  ＰＤＵデータストリームを受信端に送信する。具体的に前記第１ＭＡＣ層が前記第１ＲＬＣ  ＰＤＵデータストリームを受信端に送信し、前記第２ＭＡＣ層が前記第２ＲＬＣ  ＰＤＵデータストリームを受信端に送信する。
【００３７】
実際の応用において、本発明の実施形態における上記方法におけるＭ−ＲＬＣ層及び第１ＭＡＣ層がＭｅＮＢに位置することができ、それに応じて、Ｓ−ＲＬＣ層及び第２ＭＡＣ層もＳｅＮＢに位置することができ、それによりＭｅＮＢで下りデータストリームに対してシャントを行うことを実現し、ＭｅＮＢとＳｅＮＢが下りデータをＵＥに送信する。
【００３８】
実際の応用において、本発明の実施形態における上記方法におけるＭ−ＲＬＣ層及び第１ＭＡＣ層、Ｓ−ＲＬＣ層及び第２ＭＡＣ層が同時にＵＥに位置することができ、それによりＵＥで上りデータに対してシャントを行うことを実現し、再び２路線の上りデータをそれぞれＭｅＮＢとＳｅＮＢに送信する。
【００３９】
本発明の実施形態はデータパケットシャント伝送の方法をさらに提供し、図４に示すように、本発明の実施形態の前記方法がＲＬＣ層に応用され、前記ＲＬＣ層がＭ−ＲＬＣ層とＳ−ＲＬＣ層を含む。前記方法はＡＭに応用され、本発明の好ましい実施形態において、前記方法が以下のステップを含む。
【００４０】
ステップ４０１：前記Ｍ−ＲＬＣ層によってそれぞれ第１ＭＡＣ層によって送信された第１ＲＬＣ  ＰＤＵデータストリーム及び前記Ｓ−ＲＬＣ層によって送信された第２ＲＬＣ  ＰＤＵデータストリームを受信する。
【００４１】
ステップ４０１の前、前記Ｓ−ＲＬＣ層が第２ＭＡＣ層によって送信された第２ＲＬＣ  ＰＤＵデータストリームを受信し、前記第２ＲＬＣ  ＰＤＵデータストリームに対してそれぞれＰＤＵヘッダの除去又は修正、ソート及び再結合を行い、そして前記Ｍ−ＲＬＣ層に送信する。
【００４２】
ステップ４０２：前記第１ＲＬＣ  ＰＤＵデータストリーム及び前記第２ＲＬＣ  ＰＤＵデータストリーム内の各ＲＬＣ  ＰＤＵのシリアルナンバー（ＳＮ：Ｓｅｒｉａｌ  Ｎｕｍｂｅｒ）番号に基づいて前記ＲＬＣ  ＰＤＵに対してソートする。
【００４３】
ステップ４０３：ソート後の前記ＲＬＣ  ＰＤＵに対してＰＤＵヘッダを除去し、そして除去した前記ＰＤＵヘッダの前記第１ＲＬＣ  ＰＤＵデータストリーム及び前記第２ＲＬＣ  ＰＤＵデータストリームをＲＬＣ  ＳＤＵデータストリームに再結合する。
【００４４】
ステップ４０４：前記ＲＬＣ  ＳＤＵデータストリームをＰＤＣＰ層に送信し、そして状態レポートを送信端のＭ−ＲＬＣ層にフィードバックする。
【００４５】
実際の応用において、本発明の実施形態における上記方法中のＭ−ＲＬＣ層及び第１ＭＡＣ層Ｓ−ＲＬＣ層及び第２ＭＡＣ層が同時にＵＥに位置することができ、それによりＵＥの中で下りデータに対して再結合を行う。
【００４６】
本発明の実施形態はデータパケットシャント伝送のシステムをさらに提供し、図５に示すように、このシステムは、ＰＤＣＰエンティティ５１、Ｍ−ＲＬＣエンティティ５２、Ｓ−ＲＬＣエンティティ５３、第１ＭＡＣエンティティ５４及び第２ＭＡＣエンティティ５５を備える。
【００４７】
前記ＰＤＣＰエンティティ５１は、ＲＬＣ  ＳＤＵデータストリームを前記Ｍ−ＲＬＣエンティティ５２に送信するように構成される。
【００４８】
前記Ｍ−ＲＬＣエンティティ５２は、ＰＤＣＰ層によって送信されたＲＬＣ  ＳＤＵデータストリームを第１ＲＬＣ  ＰＤＵデータストリームと第２ＲＬＣ  ＰＤＵデータストリームに変換し、前記第１ＲＬＣ  ＰＤＵデータストリームを前記第１ＭＡＣエンティティ５４に送信し、及び前記第２ＲＬＣ  ＰＤＵデータストリームを前記Ｓ−ＲＬＣエンティティ５３に送信するように構成される。
【００４９】
前記Ｓ−ＲＬＣエンティティ５３は、前記Ｍ−ＲＬＣエンティティ５２によって送信された前記第２ＲＬＣ  ＰＤＵデータストリームを受信し、そして前記第２ＲＬＣ  ＰＤＵデータストリームを前記第２ＭＡＣエンティティ５５に送信するように構成される。
【００５０】
前記第１ＭＡＣエンティティ５４は、前記Ｍ−ＲＬＣエンティティ５２によって送信された前記第１ＲＬＣ  ＰＤＵデータストリームを受信し、そして前記第１ＲＬＣ  ＰＤＵデータストリームを受信端に送信するように構成される。
【００５１】
前記第２ＭＡＣエンティティ５５は、Ｓ−ＲＬＣエンティティ５３によって送信された前記第２ＲＬＣ  ＰＤＵデータストリームを受信し、そして前記第２ＲＬＣ  ＰＤＵデータストリームを受信端に送信するように構成される。
【００５２】
好ましくは、図６に示すように、前記Ｍ−ＲＬＣエンティティ５２は、受信ユニット５２１、シャントユニット５２２、第１サイズ予め処理ユニット５２３、第１パッケージユニット５２４、第２サイズ予め処理ユニット５２５及び第２パッケージユニット５２６を備える。
【００５３】
前記受信ユニット５２１は、前記ＰＤＣＰエンティティ５１によって送信されたＲＬＣ  ＳＤＵデータストリームを受信するように構成される。
【００５４】
前記シャントユニット５２２は、前記ＲＬＣ  ＳＤＵデータストリームを第１ＲＬＣ  ＳＤＵデータストリームと第２ＲＬＣ  ＳＤＵデータストリームに変換するように構成される。
【００５５】
前記第１サイズ予め処理ユニット５２３は、前記第１ＭＡＣエンティティ５４によって送信された第１指示情報に基づいて前記第１ＲＬＣ  ＳＤＵデータストリーム内の各ＲＬＣ  ＳＤＵに対して対応する分割及び／又は連結処理を行うように構成される。
【００５６】
前記第１パッケージユニット５２４は、前記第１サイズ予め処理ユニット５２３によって分割及び／又は連結処理された前記ＲＬＣ  ＳＤＵデータストリームに対してＰＤＵヘッダを追加し、前記第１ＲＬＣ  ＳＤＵデータストリームを前記第１ＲＬＣ  ＰＤＵデータストリームにパッケージするように構成される。
【００５７】
前記第２サイズ予め処理ユニット５２５は、前記Ｓ−ＲＬＣエンティティ５３によって送信された第２指示情報或いは前記Ｍ−ＲＬＣエンティティ５２によって予め設定された事前推定値に基づいて前記第２ＲＬＣ  ＳＤＵデータストリーム内の各ＲＬＣ  ＳＤＵに対して対応する分割及び／又は連結処理を行うように構成される。
【００５８】
第２パッケージユニット５２６は、前記第２サイズ予め処理ユニット５２５によって分割及び／又は連結処理された前記ＲＬＣ  ＳＤＵデータストリームに対してＰＤＵヘッダを追加し、前記第２ＲＬＣ  ＳＤＵデータストリームを前記第２ＲＬＣ  ＰＤＵデータストリームにパッケージするように構成される。
【００５９】
好ましくは、前記Ｍ−ＲＬＣエンティティ５２は、更に状態レポート受信ユニット５２７と再送ユニット５２８を備える。
【００６０】
前記状態レポート受信ユニット５２７は、前記受信端によってフィードバックされた状態レポートを受信するように構成される。
【００６１】
前記再送ユニット５２８は、前記状態レポートに基づいて前記受信端での受信に失敗したデータパケットに対して再送を行うように構成される。
【００６２】
好ましくは、図７に示すように、前記Ｓ−ＲＬＣエンティティ５３は、第３サイズ予め処理ユニット５３１及び第３パッケージユニット５３２を備える。
【００６３】
前記第３サイズ予め処理ユニット５３１は、前記第２ＭＡＣエンティティ５５によって送信された指示情報に基づいて前記第２ＲＬＣ  ＰＤＵデータストリーム内の各ＲＬＣ  ＰＤＵに対して対応する分割及び／又は連結処理を行うように構成される。
【００６４】
第３パッケージユニット５３２は、前記第３サイズ予め処理ユニット５３１によって分割及び／又は連結処理された前記ＲＬＣ  ＰＤＵデータストリームに対してＰＤＵヘッダを追加又は修正して前記第２ＭＡＣ層に送信するように構成される。
【００６５】
本分野の当業者は、図５〜図７に示したデータパケットシャント伝送のシステムにおける各装置及び各ユニットの機能を実現することが、上記データパケットシャント伝送の方法の説明を参照して理解できるのを理解すべきである。図５〜図７に示したデータパケットシャント伝送のシステムにおける各処理ユニットの機能は、プロセッサに実行されているプログラムによって実現されることができ、具体的な論理回路によって実現されることもできる。
【００６６】
本発明の実施形態は、データパケットシャント伝送のシステムをさらに提供し、図８に示すように、このシステムは、ＰＤＣＰエンティティ５１、Ｍ−ＲＬＣエンティティ５２、Ｓ−ＲＬＣエンティティ５３、第１ＭＡＣエンティティ５４及び第２ＭＡＣエンティティ５５を備える。
【００６７】
前記第１ＭＡＣエンティティ５４は、第１ＲＬＣ  ＰＤＵデータストリームを前記Ｍ−ＲＬＣエンティティ５２に送信するように構成される。
【００６８】
前記第２ＭＡＣエンティティ５５は、第２ＲＬＣ  ＰＤＵデータストリームを前記Ｓ−ＲＬＣエンティティ５３に送信するように構成される。
【００６９】
前記Ｓ−ＲＬＣエンティティ５３は、前記第２ＭＡＣエンティティ５５によって送信された第２ＲＬＣ  ＰＤＵデータストリームを受信し、そして前記第２ＲＬＣ  ＰＤＵデータストリームを前記Ｍ−ＲＬＣエンティティ５２に送信するように構成される。
【００７０】
前記Ｍ−ＲＬＣエンティティ５２は、それぞれ前記第１ＭＡＣエンティティ５４によって送信された第１ＲＬＣ  ＰＤＵデータストリーム及び前記Ｓ−ＲＬＣエンティティ５３によって送信された第２ＲＬＣ  ＰＤＵデータストリームを受信し、前記第１ＲＬＣ  ＰＤＵデータストリーム及び前記第２ＲＬＣ  ＰＤＵデータストリーム内の各ＲＬＣ  ＰＤＵのＳＮ番号に基づいて前記ＲＬＣ  ＰＤＵに対してソートし、ソート後の前記ＲＬＣ  ＰＤＵに対してＰＤＵヘッダを除去し、前記第１ＲＬＣ  ＰＤＵデータストリーム及び前記第２ＲＬＣ  ＰＤＵデータストリームをＲＬＣ  ＳＤＵデータストリームに再結合し、前記ＲＬＣ  ＳＤＵデータストリームをＰＤＣＰエンティティ５１に送信し、そして状態レポートを送信端のＭ−ＲＬＣエンティティにフィードバックするように構成される。
【００７１】
前記ＰＤＣＰエンティティ５１は、前記Ｍ−ＲＬＣエンティティ５２によって送信された前記ＲＬＣ  ＳＤＵデータストリームを受信するように構成される。
【００７２】
好ましくは、前記Ｓ−ＲＬＣエンティティ５３は、更に前記第２ＭＡＣエンティティ５５によって送信された第２ＲＬＣ  ＰＤＵデータストリームを受信し、前記第２ＲＬＣ  ＰＤＵデータストリームに対してそれぞれＰＤＵヘッダの除去又は修正、ソート及び再結合を行い、そして前記Ｍ−ＲＬＣエンティティ５２に送信するように構成される。
【００７３】
本分野の当業者は、図８に示したデータパケットシャント伝送のシステムにおける各装置の機能を実現することは上記データパケットシャント伝送の方法の記載を参照して理解できるのを理解すべきである。
【００７４】
図９は本発明の第３の実施形態におけるデータ伝送／再送の流れを示す図であり、本実施形態において、ＡＭデータに対して、受信端のＭ−ＲＬＣがコントロールプレーンの設定によって適時に状態レポートをフィードバックすることができ、前記状態レポートの中のＳＮ番号が送信端Ｍ−ＲＬＣの割り当てるヘッド情報を基準とする。送信端Ｍ−ＲＬＣが状態レポートを受信した後に、失敗が指示されたデータパケットを再送するが、送信端Ｍ−ＲＬＣは、依然として再送のデータパケットを反対端（ｏｐｐｏｓｉｔｅ  ｅｎｄ）またはＳ−ＲＬＣに送信することを選択することができる。その他に、Ｓ−ＲＬＣがシャントデータパケットに対するＳ−ＲＬＣの伝送失敗の回数に応じて、Ｍ−ＲＬＣが前記シャント伝送リンクの伝送を除去又は修正することを考えることができる。
【００７５】
本発明の実施形態の技術の方案に基づいて、あるＵＥのある確認モードベアラ（ＡＭ  ＥＰＳ  ｂｅａｒｅｒ）に対してシャント伝送データを行うことを例として、本実施形態は以下の過程で実現することができる。
【００７６】
送信端で、前記Ｍ−ＲＬＣが設定されたシャントポリシー或いは現在の利用可能な無線リソース等情報に基づいて、伝送バッファ（Ｔｒａｎｓｍｉｓｓｉｏｎ  Ｂｕｆｆｅｒ）で上位のデータパケットを受信することを確定し、例えばＲＬＣ  ＳＤＵの順序であり、順次にデータパケットを二つずつ（例を挙げるだけで、二つの伝送リンクの現在のデータの流量がほぼ同じであることを示す）それぞれＳ−ＲＬＣ、受信端Ｍ−ＲＬＣに送信する。
【００７７】
Ｍ−ＲＬＣが最初の２つのＲＬＣ  ＳＤＵに対してサイズ予め処理を行い、例えば分割及び／又は連結処理であり、予め処理の機能と従来の技術と同じであり、根拠は、Ｍ−ＲＬＣによる概算であり、或いは前記Ｓ−ＲＬＣと情報をインターラクションした後に得られたサイズ値であることができる。ここで前記Ｍ−ＲＬＣのサイズ処理をした後に依然として２つのデータパケットを得ると仮定すれば、前記Ｍ−ＲＬＣは、前記データパケットにデータパケットのヘッダを追加し（ＳＮ＝１、２を分配する）、ＲＬＣ  ＰＤＵをパッケージした後に、対応するＳ−ＲＬＣに手渡す。
【００７８】
前記送信端のＳ−ＲＬＣがＭ−ＲＬＣのＰＤＵを受信した後に、現在の利用可能な無線リソースに対する下位層（ＭＡＣ層）の指示に基づいて、データパケットに対してサイズを再処理することを行う。前記処理は、分割（ｓｅｇｍｅｎｔａｔｉｏｎ）及び／又は連結（ｃｏｎｃａｔｅｎａｔｉｏｎ）であることができる。それに対応して、データパケットのヘッダに対する処理は修正或いは追加であることができる。データパケットのヘッダに対する処理を操作した後に、Ｓ−ＲＬＣによって下位層に送信可能なデータパケット（ＲＬＣ  ＰＤＵ）を得ることができる。なお、図に示したＳＮ１１、ＳＮ１２、ＳＮ２１、ＳＮ２２を、ただ明確に記載するためのものであり、実際にＳ−ＲＬＣがＭ−ＲＬＣから送信されたＲＬＣ  ＰＤＵをＲＬＣ  ＳＤＵとして処理することができ、修正又は追加されたＰＤＵヘッダのフォーマットが従来の技術と同じであることができる。
【００７９】
前記Ｍ−ＲＬＣは、直接伝送が決定された反対端Ｍ−ＲＬＣに最後の二つのデータパケットに対して、従来の技術によってサイズの処理とデータパケットのヘッダの追加を行い（ここでサイズ処理後に依然として２つのデータパケットを得ると仮定すれば、前記Ｍ−ＲＬＣがＳＮ＝１、２を分配する）、パッケージされたＲＬＣ  ＰＤＵを得た後に、下位層（ＭＡＣ層）に手渡し、そして更に受信端のＭ−ＲＬＣに送信する。
【００８０】
受信端で、Ｓ−ＲＬＣ（一定の設定時間内）がデータパケットＳＮ１１、ＳＮ２１、ＳＮ２２を受信し、前記Ｓ−ＲＬＣがこれらのデータパケットに対してハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）ソートを行い、外側のデータパケットのヘッダを除去することを行い、そして受信データ部分の完全なＳＮ２１、ＳＮ２２をデータパケットＳＮ２に再結合することができ、そしてそれを上位層に送信する（受信端Ｍ−ＲＬＣにおいて、ＳＮ１２データパケットをまだ受信していないため、前記Ｓ−ＲＬＣがＳＮ＝１のデータパケットに再結合することができない）。
【００８１】
また、一定の同じ設定時間内において、前期受信端Ｍ−ＲＬＣが反対端Ｍ−ＲＬＣから送信されたデータパケットＳＮ４を受信する。その時、ＳＮ２、ＳＮ４データパケットがＭ−ＲＬＣの受信バッファ（Ｒｅｃｅｐｔｉｏｎ  ｂｕｆｆｅｒ）に位置する。
【００８２】
現在の状態報告トリガー及び送信メカニズムに基づいて、本発明の実施形態の技術の方案において、受信端のＭ−ＲＬＣが送信端のＭ−ＲＬＣにＳＴＡＴＵＳ  ＰＤＵをフィードバックすることができる。前記ＳＴＡＴＵＳ  ＰＤＵで、受信端Ｍ−ＲＬＣは、すでにデータパケットＳＮ４を受信したが、ＳＮ１、ＳＮ３を受信しないことを指示している。
【００８３】
前記ＳＴＡＴＵＳ  ＰＤＵを受信した送信端Ｍ−ＲＬＣは、ＳＮ＝１、３のＲＬＣ  ＰＤＵを再送することができる。再送リンクは依然としてＳ−ＲＬＣ側を選択することができる。前記Ｍ−ＲＬＣは、Ｓ−ＲＬＣにシャントされて伝送するデータパケットの伝送失敗回数を計算することができる。もしも前記Ｍ−ＲＬＣが前記Ｓ−ＲＬＣにシャントされて伝送するシャントデータパケットの失敗率が高いと認めれば、前記Ｍ−ＲＬＣは、前記Ｓ−ＲＬＣにシャントされて伝送するデータパケットの数量を減少し、或いは前記シャントリンクをキャンセルすることを考慮することができる。
【００８４】
受信端のＭ−ＲＬＣが全てのデータパケットを成功に受信した後に（ＳＮ１、ＳＮ２、ＳＮ３、ＳＮ４）、それを順序に上位層に手渡すことができる。
【００８５】
本発明の実施形態はコンピュータ記憶媒体をさらに提供し、前記コンピュータ記憶媒体は、具体的に図３に示すような本発明の実施形態の第１方面のいずれか１つの技術の方案に記載の前記方法を実行するためのコンピュータ実行可能な命令を記憶している。
【００８６】
本発明の実施形態はコンピュータ記憶媒体をさらに提供し、前記コンピュータ記憶媒体は、具体的に図４に示すような本発明の実施形態の第２方面のいずれか１つの技術の方案に記載の前記方法を実行するためのコンピュータ実行可能な命令を記憶している。
【００８７】
上記の２種類のコンピュータ記憶媒体は、ＵＳＢメモリ、光ディスク、ＤＶＤ、テープ或いはその他のコンピュータ記憶媒体であってもよい。好ましくは非瞬間的な記憶媒体である。
【００８８】
以上は、本発明の最適的な実施形態に過ぎなく、本発明の保護範囲を制限するためのものではない。本発明の原理に基づいて行われたすべての改修が、本発明の保護範囲以内に含まれるべきである。
【図１】
0006328756.tif 000002
【図２】
0006328756.tif 000003
【図３】
0006328756.tif 000004
【図４】
0006328756.tif 000005
【図５】
0006328756.tif 000006
【図６】
0006328756.tif 000007
【図７】
0006328756.tif 000008
【図８】
0006328756.tif 000009
【図９】
0006328756.tif 000010